(57)【要約】      （修正有）【課題】植物の幹細胞、始原細胞などの未分化細胞を刺激することにより植物生体を活性化し成長促進を図る。【解決手段】植物生体にダイオード、トランジスター１など半導体のリード線先端部を直接生体に差し込み又は接触させ、植物生体に電気的刺激反応を与えることにより植物生体の活性化と成長の促進を図る半導体農法。【選択図】図１
2009000093.tif 000002
【特許請求の範囲】
【請求項１】
植物生体に半導体（ダイオード、トランジスター）の各リード線（足）の先端部を直接的に生体に差し込み又は接触させて、植物生体に電気的な刺激反応を与えて植物生体の活性化と成長の促進を図ることを特徴とした半導体農法。
【請求項２】
半導体を単独又は複数個を植物生体に直接又は間接的に印加（接続）反応させて、電気的な刺激を植物生体に与える請求項１の半導体農法。
【請求項３】
半導体に交流、直流電気１，５Ｖ〜１００Ｖを外部電源として半導体に印加、接続して植物生体に与える電気的な刺激の拡大を図る請求項１の半導体農法。
【請求項４】
極性電気を有する物質と半導体との反応で生体の活性化を図ることを特徴とした請求項１の半導体農法。
【発明の詳細な説明】
【技術分野】
【０００１】  植物生体の活性化と自然環境の改善に関する。
【背景技術】
【０００２】  植物は酸素の供給者であり、酸素の消費者である。動物やヒトの生存とは切っても切れない不可分の関係にある。
現下の地球的な温暖化に対する二酸化炭素を固定と削減できる能力は生物社会に於ける唯一の能力を有し、動物やヒトの社会に大きな貢献的生物である。然るに日本国の林野の荒廃は目に余る状況下にある中での森林木は、最低限の光合成を強要されている。然も、国際的な科学技術の発展する中で植物生体に対する病理学があっても、治療学がないのが現下の植物生体環境である。
【発明の開示】
【発明が解決しようとする課題】
【０００３】  植物の生理機構については、未だ不明な点が多くある中で現下の地球的な温暖化に対する明確な備えも、技術も全くないのが現状の森林行政である。
【課題を解決するための手段】
【０００４】概念
本発明は、長年に亙る研究を経て、植物生体が持つ偉大な潜在能力を持つ生物であることが判った。即ち、５，０００年〜１０，０００年の生存記録の証明に加えて、植物生体の全てが未分化体質であることが、生体の再生と還元能力を持つ偉大な生物である。【０００５】概要
以上の知見や研究に基く植物生体の活性化と成長は、未分化細胞（幹細胞、始原細胞）の刺激にあることが判った。即ち、植物生体が有する極性電気と半導体が有する能力（増幅、発電作用）との反応で生体の活性化と成長作用が促進されることが判った。
従って、森林の活性化や再生は森林木の活性化と成長の促進である。即ち、森林の再生、活性化が二酸化炭素の固定と削減を促進することが地球的な温暖化の緩和と荒廃林野の環境改善となり、森林林野の温暖化に対する抑制力が生れて温暖化の削減に役立つことが判ったので本発明に至ったのである。
本来的に半導体の属性、用途は全て最新電気機器やコンピュター、ＩＣ等の最先端の電子デバイス（パーツ）である。従って「半導体と植物」との関係は全く異なる属性的な用途から生れた創作技術である。
用途【０００６】  木本植物、草本植物、水耕植物など植物全般に加えて果物、果実、切花、種苗と関連培地全般、極性電気の有する物質（土、木、温水、生体）
適用電源（外部電源）【０００７】  ＡＣ，ＤＣ電気、乾電池、蓄電池、太陽電気、風力電気、イオン化電池、極性電気など。
適用形態【０００８】  植物が有する極性電気は、培地と植物生体との関係から成り立っていると思われる。
植物生体の成長システムは、培地の細根部より接木部、茎、葉、枝、稍長に向かって養水分が吸水されて生体を潤すが、その反対に稍長より生産エネルギーが細根部に蓄積されるシステムになっている。生体の最大なネックは、吸水作用（生体の水分バランス）である。
即ち、元来の植物は水中から上陸した生物である経緯から当然的な「水ストレス持病」の生物である。従って、生体のストレスが植物生体の生存の極みであり、その良否は全て生体の水分バランスにある。生体バランスを整える実験から水分バランスの改善は生体の刺激反応であることが判った。
即ち、生体の刺激が根圧アップの起因となり、水が有する疑集力とメニスカス作用の働きで吸水と上昇作用がアップして、生体の水分バランスが容易化されるからストレスが改善されるのである。
従って、生体のバランスが整うと、生体の活性化が始まり、成長の促進に至る訳である。半導体を植物生体にセッテングすると実施後約半年〜１年を要すると、その成長反応が期待できるが、気候や温度関係から正確には言い難いが、後記項［００１０］を参照に加えて［００１１］の生体の測定法。これが本発明の半導体農法による生体の活性化と成長促進の大略の形態である。
【発明の効果】
【０００９】  植物生体の基本的な生体は「恒常的な生体バランス」が「動的平衡」であり、これが「ホメオシタシス」である。
このホメオ化が、健全なる生体の証である。従って、最良な野菜や果実や最良なる木材や建築材が生れる所以である。例えばアンデス高原や砂漠のトマトの美味しいことは誰でも知る味覚である。又路地野菜と水耕野菜を比較すると圧倒的に路地野菜が味覚も栄養価も優れている。その理由は全て生体環境の刺激反応によるものである。即ち、半導体農法は生体の自然環境刺激に加えて電気的な刺激反応による生産品の誕生する所以である。従って、現下の社会悪化から生れた食育に叶う農法である。
【発明を実施するための最良の形態】
【００１０】  全ての植物生体が有する極性電気と半導体（ダイオード、トランジスタ）の各種の特性や機能を生かして電気的な刺激の起因とするものである。即ち、オートダイオード、フオートトランジスタ、発光ダイオード、ツエナーダイオード、可変ダイオード、小信号ダイオード、小信号トランジスタ等を用いて、極性電気と反応させると極性電位がアップ（拡大）する。その拡大電位が半導体の効果である。この拡大電位を生体の環境悪化と共に変化する生体刺激が、植物生体の全体に及ぶ「未分化細胞」との反応が起り、時間と共に生体の全てに波及するものと思われる。
即ち、植物生体のどの部分を切っても発芽する実態が証明するものである。加えて、未  分化生物の復元論から証明される所以である。
係る理由から生体のどの部分（局部）に半導体に差し込み、接触的にセッテングしても不可能ではないが、植物生体には漢方に言う陰、陽五行説的な流れと経絡的な「ツボ」に似た流れがある。
従って、半導体のセツテング位置は後記項に示す「生体の測定方法」を用いて、セット前とセット後の電位比較を以って決めればよい効果が生れる。
未分化細胞が刺激を受けると細胞の分裂から細胞の増殖に移り、これが時間と共に生体の活性化と成長に波及するものと思われる。
従って、成長と共に生体の活性化が生体の健全化体質となり、その結果が良質な野菜や果実の味覚や酸化しにくい食材で食育効果も生れるのである。
他方の木本植物（材木）の成長促進による効果は、放置林野の改善、即ち、肥大成長に伴うアロレパシー反応やフイトン、チット反応で林野環境は改善されて間伐不用論や深山の食糧増産の起因となり、里山集落の害獣「クマやイノシシ、サル」は深山の生れ故郷に帰り、平和でさわやかな里山集落に復元される期待も生れる筈である。
従って、本件の半導体農法を森林野の林木に実施を促進することが結果として森林野の環境改善と共に地球的な温暖化の改善に大いに貢献する半導体農法である。
生体の測定法【００１１】  木本植物の成長測定法として確定的な測定法は現状では存在しない。従って、以下のような測定方法で一応の納得が得られる筈である。
木本植物の近傍培地と生体の胸高位置（茎の地上約１３０ｃｍ）との間を通常のテスターで測定する（電圧、電流）仮の電位を確認の上で、相方の金属棒（培地と胸高置）の各差し替えを経て最高電位を基礎に半導体をセッテングして、その電位が高く安定している位置がベストである。即ち、半導体のセット前とセット後の測定電位で判断すればよい。従って、基礎電位プラス半導体電位がベストである。又草本植物は、培地や葉や稍長との測定を経て半導体のセット前、後の電位で決めればよい。
【実施例】
【００１２】  以下の実施例による発明態様を説明するが、例示は単なる説明用のもので発明思想の制限又は限定を意味するものではない。
【実施例１】
【００１３】  房付の青いバナナ５本を各切断して、生の枝に半導体を差し込んだ実施バナナと非実施バナナのコントロールバナナと比較して見た。（糖度）
実施バナナの糖度        ２７，５度
非実施バナナの糖度      ２４，３度
【実施例２】
【００１４】  トマト（桃太郎）の茎に半導体３ケをセットした実施トマトと同種の非実施トマトをコントロールとして糖度を比較して見た。
実施トマトの糖度        １２，５〜１３，４度（平均的）
非実施トマトの糖度        ９，２〜１０，４度（平均的）
【実施例３】
【００１５】  路地栽培された宝交（奈良産）イチゴの収穫前にイチゴの花柄に半導体を差し込み２日後に糖度を測定１７，５度、通常の非実施コントロールイチゴは１０〜１２度（糖度）
【実施例４】
【００１６】  宝交（奈良産）イチゴをポット栽培して、実施ポットと非実施ポットとを作り、実施ポットの中に半導体を入れ、その上にイチゴ苗を移植、非実施ポットは何も入れないで移植を同位置に並べて糖度の比較実施をして見た。
実施ポットのイチゴ        １２，２〜１６，１度
非実施ポットのイチゴ        ９，７〜１２，３度
【実施例５】
【００１７】  ポットにサニーレタスを栽培して、実施比較して見た。実施ポットとサニーレタス間に半導体を入れたポットと非実施ポットにサニーレタスのみ移植して、実施ポットと非実施ポットを同位置に並べて比較実施して見た。
実施ポットのサニーレタス      糖度６，７度
非実施ポットのサニーレタス    糖度３，２度
【実施例６】
【００１８】  大阪府天野山町の人工林、桧の樹齢５２年の殆ど同サイズの桧２本を選んで実施木に半導体３個を打込み（セット）、非実施木は何にもしないで各木の胸高位置（地上約１３ｃｍ）に肥大成長測定バンドをセットして平成１８年１月１８日より平成１９年１月１９日まで実施して各肥大成長の比較をして見た。
実施桧の肥大成長            １，５ｍ
非実施桧の肥大成長          ０，５ｍ
【実施例７】
【００１９】和歌山県海南市の雑木林くぬ木の樹齢約６０手の殆ど同サイズの実施木２本を選んで、実施木に半導体３個を打ち込み、非実施木はなんにもしないで各木の各胸高位置に肥大成長測定バンドをセットして、平成１７年３月１５日より平成１８年３月１６日まで実施して肥大成長の比較をして見た。
実施木の肥大成長          １，０ｃｍ
非実施木の肥大成長        ０，３ｃｍ
肥大成長は、０，７ｃｍであったが特筆に値する結果があった。即ち、平成１７年１０月１５日実施木の近傍に１０数年も発生しなかった香茸（コウタケ）が発生した。この現象は、半導体による活性化作用が細根部の増殖を生み、増殖に伴う菌系の増殖に反応した証と思われる。
【図面の簡単な説明】
【００１８】
【図１】バナナにトランジスタをセッテングした状態を示す斜視図
【図２】トマトの茎にダイオードをニケ所にセッテングした状態を示す正面図
【図３】ポットにイチゴを植え、細根部にダイオードを挿入した状態を示す断面図
【図４】メロンの茎にトランジスタをセッテングした状態を示す正面図
【図５】桧の幹にダイオードをニケ所にステップルでセッテングした状態を示す正面図
【図６】くぬ木の幹にトランジスタを三ヶ所に差込セッテングした状態を示す正面図
【図７】杉を植林した細根部の下にシートにトランジスタをセッテングした状態を示す断面図
【図８】水耕栽培のウレタン培地にトランジスタをセッテングした状態を示す断面図
【符号の説明】
１  トランジスタ
２  ダイオード
３  バナナ
４  トマト
５  イチゴ
６  メロン
７  桧
８  くぬ木
９  杉苗木
１０  プラスチックシートに（１）又は（２）をセットした半導体
１１  ポット
１２  ステープル（又釘）
１３  定植固定パネル
１４  ウレタン培地
１５  水耕栽培
１６  レタス
【図１】
2009000093.tif 000003
【図２】
2009000093.tif 000004
【図３】
2009000093.tif 000005
【図４】
2009000093.tif 000006
【図５】
2009000093.tif 000007
【図６】
2009000093.tif 000008
【図７】
2009000093.tif 000009
【図８】
2009000093.tif 000010